【手続補正書】
【提出日】平成18年3月31日(2006.3.31)
【手続補正１】
【補正対象書類名】明細書
【補正対象項目名】発明の名称
【補正方法】変更
【補正の内容】
【発明の名称】フラッシュ装置及びカメラ及び撮像装置並びにフラッシュ方法及び撮像方法
【手続補正２】
【補正対象書類名】明細書
【補正対象項目名】特許請求の範囲
【補正方法】変更
【補正の内容】
【特許請求の範囲】
【請求項１】
被写体からの反射光を受光素子で受光し発光ユニットから前記被写体に対してフラッシュを行うフラッシュ装置であって、
通信線を介して自己のフラッシュに固有の色温度を色温度情報としてカメラ側に送出し該カメラ側から光量情報を得る通信手段と、
前記光量情報を用いて発光量閥値を設定し前記フラッシュの発光時間を制御する制御手段と、
前記受光素子で受光した反射光量に基づいて前記発光量閥値をベースとして前記発光ユニットからフラッシュを制御する調光手段と
を具備することを特徴とするフラッシュ装置。
【請求項２】
前記光量情報は、少なくとも前記カメラ側で設定された撮影情報を含んでいる請求項１に記載のフラッシュ装置。
【請求項３】
前記発光量閥値は、前記カメラ側の発光量閥値に対応して設定される請求項１に記載のフラッシュ装置。
【請求項４】
外付のフラッシュ装置を用いて被写体を撮影するカメラであって、
通信線を介して前記フラッシュ装置のフラッシュに固有の色温度を色温度情報として得る通信手段と、
設定された撮影情報と前記色温度情報とを用いてフラッシュの光量情報を決定しこの光量情報を前記フラッシュ装置に送出する制御手段と
を具備することを特徴とするカメラ。
【請求項５】
前記撮影情報は、被写体までの距離データ、絞り値、シャッタースピードの全部または１つ以上を含む請求項４に記載のカメラ。
【請求項６】
前記カメラは、前記光量情報に基づいて被写体の画像処理を行う画像処理手段を備えている請求項４に記載のカメラ。
【請求項７】
前記カメラは、少なくともビデオカメラレコーダとデジタルスチルカメラを含む請求項４に記載のカメラ。
【請求項８】
被写体を撮影するカメラと、前記被写体からの反射光を受光素子で受光して発光ユニットから前記被写体に対してフラッシュを行うフラッシュ装置と、これ等を通信線で結んでデータ伝送する撮像装置であって、
前記カメラは、
前記通信線を介して前記フラッシュ装置のフラッシュに固有の色温度を色温度情報として得る通信手段と、
設定された撮影情報と前記色温度情報とを用いてフラッシュの光量情報を決定しこの光量情報を前記フラッシュ装置に送出する制御手段と
を具備し、
前記フラッシュ装置は、
前記通信線を介して前記カメラ側からの前記光量情報を得る通信手段と、
前記光量情報を用いて発光量閥値を設定し前記フラッシュの発光時間を制御する制御手段と、
前記受光素子で受光した反射光量に基づき前記発光量閥値をベースとして前記発光ユニットのフラッシュを制御する調光手段と
を具備することを特徴とする撮像装置。
【請求項９】
前記光量情報は、
少なくとも前記カメラ側で設定された撮影情報を含んでいる
請求項８に記載の撮像装置。
【請求項１０】
前記色温度情報は、前記カメラ側の内蔵フラッシュ装置の色温度情報がある場合には、その色温度情報に基づいて設定される請求項８に記載の撮像装置。
【請求項１１】
前記撮影情報は、被写体までの距離データと絞り値とシャッタースピードの全部または１つ以上を含む請求項８に記載の撮像装置。
【請求項１２】
前記カメラは、前記光量情報に基づいて被写体の画像処理を行う画像処理手段を備えている請求項８に記載の撮像装置。
【請求項１３】
前記カメラは、少なくともビデオカメラレコーダとデジタルスチルカメラを含む請求項８に記載の撮像装置。
【請求項１４】
被写体からの反射光を受光素子で受光し発光ユニットから前記被写体に対してフラッシュを行うフラッシュ方法であって、
通信線を介して自己のフラッシュに固有の色温度を色温度情報としてカメラ側に送出し該カメラ側から光量情報を得るようにし、
前記光量情報を用いて発光量閥値を設定し前記フラッシュの発光時間を制御し、
前記受光素子で受光した反射光量に基づいて前記発光量閥値をベースとして前記発光ユニットからフラッシュを制御すること
を特徴とするフラッシュ方法。
【請求項１５】
前記光量情報は、少なくとも前記カメラ側で設定された撮影情報を含んでいること
を特徴とする請求項１４に記載のフラッシュ方法。
【請求項１６】
前記発光量閥値は、前記カメラ側の発光量閥値に対応して設定されること
を特徴とする請求項１４に記載のフラッシュ方法。
【請求項１７】
被写体を撮影するカメラと、前記被写体からの反射光を受光素子で受光して発光ユニットから前記被写体に対してフラッシュを行うフラッシュ装置と、これ等を通信線で結んでデータ伝送する撮像装置を構成し、
前記カメラは、
前記通信線を介して前記フラッシュ装置のフラッシュに固有の色温度を色温度情報として得るようにすると共に、設定された撮影情報と前記色温度情報とを用いてフラッシュの光量情報を決定しこの光量情報を前記フラッシュ装置に送出するようにし、
前記フラッシュ装置は、
前記通信線を介して前記カメラ側からの前記光量情報を得るようにすると共に、前記光量情報を用いて発光量閥値を設定し前記フラッシュの発光時間を制御し、且つ前記受光素子で受光した反射光量に基づき前記発光量閥値をベースとして前記発光ユニットのフラッシュを制御すること
を特徴とする撮像方法。
【請求項１８】
前記光量情報は、
少なくとも前記カメラ側で設定された撮影情報を含んでいること
を特徴とする請求項１７に記載の撮像方法。
【請求項１９】
前記色温度情報は、前記カメラ側の内蔵フラッシュ装置の色温度情報がある場合には、その色温度情報に基づいて設定されること
を特徴とする請求項１７に記載の撮像方法。
【請求項２０】
前記撮影情報は、被写体までの距離データと絞り値とシャッタースピードの全部または１つ以上を含むこと
を特徴とする請求項１７に記載の撮像方法。
【請求項２１】
前記カメラは、前記光量情報に基づいて被写体の画像処理を行う画像処理手段を備えていること
を特徴とする請求項１７に記載の撮像方法。
【請求項２２】
前記カメラは、少なくともビデオカメラレコーダとデジタルスチルカメラを含むこと
を特徴とする請求項１７に記載の撮像方法。
【手続補正３】
【補正対象書類名】明細書
【補正対象項目名】０００１
【補正方法】変更
【補正の内容】
【０００１】
【発明の属する技術分野】
本発明は、ビデオカメラレコーダ、デジタルスチルカメラなどで代表されるデジタルカメラの相互間で共通に使用できるように改良されたフラッシュ装置と、対応するデジタルカメラ及びこれ等で構成する撮像装置並びにフラッシュ方法及び撮像方法に関する。
【手続補正４】
【補正対象書類名】明細書
【補正対象項目名】００１７
【補正方法】変更
【補正の内容】
【００１７】
また、本発明は、以上の課題を解決するためのこのフラッシュ装置に対応するカメラの構成として、外付のフラッシュ装置を用いて被写体を撮影するカメラであって、通信線を介して前記フラッシュ装置のフラッシュに固有の色温度を色温度情報として得る通信手段と、設定された撮影情報と前記色温度情報とを用いてフラッシュの光量情報を決定しこの光量情報を前記フラッシュ装置に送出する制御手段とを具備するものである。
【手続補正５】
【補正対象書類名】明細書
【補正対象項目名】００１９
【補正方法】変更
【補正の内容】
【００１９】
【発明の実施の形態】
以下、本発明に係るフラッシュ装置、カメラ及びフラッシュ方法及び撮像方法を具現化することができる撮像装置の実施の形態について図１を用いて説明する。図１は本発明の実施の１形態を略示的に示した斜視図である。なお、理解を容易にするため従来のデジタルカメラと同一部分には同一の符号を付して説明する。
【手続補正６】
【補正対象書類名】明細書
【補正対象項目名】００５０
【補正方法】変更
【補正の内容】
【００５０】
【発明の効果】
以上、説明したように、本発明に係るフラッシュ方法を具現化できるための外付けのフラッシュ装置によれば、通信線を介してカメラ側の光量情報を得る通信手段と、自己のフラッシュに固有の色温度を色温度情報として格納する色温度記憶手段とを有するようにしたので、カメラの構成が色温度の異なるデジタルスチルカメラであってもビデオカメラレコーダであっても共通に使用して自動調光をすることができ、色温度の正しいフラッシュ撮影を可能にすると共に、汎用性が向上し、利用者にとって便利なツールを提供することができる。
【手続補正７】
【補正対象書類名】明細書
【補正対象項目名】００５２
【補正方法】変更
【補正の内容】
【００５２】
さらに、本発明に係る撮像方法を具現化できるための撮像装置によれば、フラッシュに固有の色温度を色温度情報としてフラッシュ装置とデジタルカメラとで共有することができるので、これらのフラッシュ装置とデジタルカメラの組み合わせを自由に選択することができ、これらの効率的な運用が可能となるメリットが生じる。